(57)【特許請求の範囲】
【請求項１】
本体と、
この本体に頭部が軸支されるハンドルと、
このハンドルの起伏操作によって回動されるクランプ部を有するリンク機構部とを備えたクランプ式鎖錠装置において、
前記本体には、前記リンク機構部が挿通される開口部を、前記ハンドルの頭部が挿通される筒部と分離して形成するとともに、
この開口部周縁に枠状に形成されたパッキンを設けたことを特徴とするクランプ式鎖錠装置。
【請求項２】
前記筒部は防水構造を有することを特徴とする請求項１記載のクランプ式鎖錠装置。
【請求項３】
前記開口部の左右縁部に溝部を形成し、この溝部に前記パッキンが嵌め込まれたことを特徴とする請求項１または２記載のクランプ式鎖錠装置。
【請求項４】
前記パッキンのうち前記ハンドルに面する側を凹状としたことを特徴とする請求項１乃至３の何れかに記載のクランプ式鎖錠装置。
【発明の詳細な説明】
【技術分野】
【０００１】
本発明は、クランプ式の鎖錠装置に関するものである。
【背景技術】
【０００２】
電気機器収納用箱等に取付けられた扉を鎖錠するために、クランプ式の鎖錠装置が用いられる。クランプ式の鎖錠装置は、扉に取付けられる本体と、本体に頭部が軸支されるハンドルと、ハンドルの起伏操作により回動され、筐体の上下２点をクランプすることで扉を鎖錠する互いに逆向きの上下のクランプ部を有するリンク機構部とを備えている（特許文献１）。
【０００３】
また、リンク機構部はハンドルの頭部と隣接する位置に設けられており、これらリンク機構部とハンドルの頭部の双方を、本体に形成した開口部にまとめて挿通した上で、ハンドルの頭部を本体に軸支するものとしている。そして、このリンク機構部とハンドルの頭部とを防水するために、開口部には袋状のパッキンを設けるものとしている。ところが、このような袋状のパッキンは構成が複雑であり、また開口部に貼り付けるパッキンの形状によっては、ハンドルの開閉動作を妨害してしまうという問題やハンドルの開閉動作によりパッキンが動作してパッキン自体が磨耗する問題などがあった。
【先行技術文献】
【特許文献】
【０００４】
【特許文献１】特許第４３４９６０９号公報
【発明の概要】
【発明が解決しようとする課題】
【０００５】
本発明の目的は前記した従来の問題点を解決し、開口部に設けるパッキンの形状を簡易なものとすることができるクランプ式鎖錠装置を提供することである。
【課題を解決するための手段】
【０００６】
上記課題を解決するためになされた本発明は、本体と、この本体に頭部が軸支されるハンドルと、このハンドルの起伏操作によって回動されるクランプ部を有するリンク機構部とを備えたクランプ式鎖錠装置において、前記本体には、前記リンク機構部が挿通される開口部を、前記ハンドルの頭部が挿通される筒部と分離して形成するとともに、この開口部周縁に枠状に形成されたパッキンを設けたことを特徴とするものである。
【０００７】
請求項２記載の発明は、請求項１記載のクランプ式鎖錠装置において、前記筒部は防水構造を有することを特徴とするものである。
【０００８】
請求項３記載の発明は、請求項１または２記載のクランプ式鎖錠装置において、前記開口部の左右縁部に溝部を形成し、この溝部に前記パッキンが嵌め込まれたことを特徴とするものである。
【０００９】
請求項４記載の発明は、請求項１乃至３の何れかに記載のクランプ式鎖錠装置において、前記パッキンのうち前記ハンドルに面する側を凹状としたことを特徴とするものである。
【発明の効果】
【００１０】
本発明に係るクランプ式鎖錠装置は、リンク機構部が挿通される開口部を、ハンドルの頭部が挿通される筒部と分離して本体に形成するものとして、さらにこの開口部周縁に枠状に形成されたパッキンを設けるものとした。これにより、開口部周縁に設けるパッキンを小さく、かつ簡易な形状とすることができる。
【００１１】
請求項２に係る発明は、筒部に開口部とは別途に防水構造を施すものとして、ハンドルの頭部を防水することができるものとしている。
【００１２】
請求項３に係る発明は、開口部の左右縁部に溝部を形成し、この溝部にパッキンが嵌め込まれたものである。これにより、溝部を排水経路として利用することができ、またパッキンを厚く形成することが可能となるため、パッキン自体の強度を高めることができる。
【００１３】
請求項４に係る発明は、パッキンのうちハンドルに面する側を凹状としたものである。これにより、パッキンはハンドルと２点で当接するため、二重で防水することができるものとなり、かつ２点のうち内側に位置する箇所の劣化を防止してパッキンの寿命を長くすることができるものとなる。
【図面の簡単な説明】
【００１４】
【図１】電気機器収納用箱の全体斜視図である。
【図２】図１の要部（クランプ式鎖錠装置）を示す断面図及び斜視図である。
【図３】クランプ式鎖錠装置の正面図および斜視図である。
【図４】クランプ式鎖錠装置の側面図である。
【図５】クランプ式鎖錠装置の分解図である。
【図６】クランプ式鎖錠装置の垂直断面図である。
【図７】図３の本体を省略した斜視図である。
【図８】クランプ式鎖錠装置のリンク機構を示す断面図である。
【図９】クランプ式鎖錠装置のリンク機構を示す断面図である。
【図１０】クランプ式鎖錠装置のリンク機構を示す断面図である。
【図１１】クランプ式鎖錠装置のリンク機構を示す断面図である。
【図１２】（ａ）リンク機構の詳細を示す斜視図である。（ｂ）異なる角度からのリンク機構の詳細を示す斜視図である。（ｃ）下クランプ部を省略した斜視図である。
【発明を実施するための形態】
【００１５】
以下に本発明の好ましい実施形態を示す。
図１のように、電気機器収納用箱１に取付けられた扉２には、この扉２を鎖錠するためのクランプ式鎖錠装置３が設けられている。クランプ式鎖錠装置３は、図２及び図３のように、扉２に取付けられる本体４と、本体４にその頭部が軸支されるハンドル５と、リンク機構部６とを備える。このリンク機構部６はハンドル５の起伏操作によって回動される互いに逆向きに設けられた上クランプ部７及び下クランプ部８とを有し、またこれら上クランプ部７及び下クランプ部８は、後述するリンク部材３１、３２、３３により回動される。図４のように、下クランプ部８はフック形状を有するものとしており、電気機器収納用箱１側の図示しない金具をクランプすることで扉２を鎖錠することができる。なお本実施形態では、図１に示すように、上クランプ部７及び下クランプ部８の先端にそれぞれロッド棒９を連結して、ロッド棒９を電気機器収納用箱１に形成した金具１ａに係合させ扉２の上下２点をロックできるものとしている。
【００１６】
図５に示すように、本体４には、開口部１０と筒部１１とがそれぞれ分離して形成されている。ここで、開口部１０は前記したリンク機構部６のみを挿通するものであり、筒部１１はハンドル５の頭部のみを挿通するものである。なお、ハンドル５の頭部は筒部１１内部で第１軸２１により本体４に軸支されている。そして、開口部１０の周縁に枠状のパッキン１２を設けるものとした。このような構成とすることにより、開口部１０周縁に設けるパッキン１２を小さく、かつ簡易な形状とすることができるため、従来のように複雑な構成の袋状パッキンを設ける必要がなくなり、またハンドル５の開閉動作を妨害してしまうことやハンドル５の開閉動作によりパッキン１２が動作しないためパッキン１２の磨耗も生じない。なお、本実施形態のパッキン１２は枠状のものとしたが、１本のパッキンを繋げて枠状に形成するものであっても良い。
【００１７】
図５のように、筒部１１内に取付けられる前記第１軸２１には、Ｏリング１３を設けるものとして防水性能を付与している。このように、開口部１０とは別途に防水構造を施すものとして、ハンドル５の頭部を防水できるものとしている。また、このように開口部１０の防水と、筒部１１の防水とをそれぞれ独立させることで、各々の防水構造がシンプルなものとなる作用効果を奏する。
【００１８】
なお、パッキン１２の上下端部にはそれぞれ挟止片１４を形成するものとして、開口部１０の縁部を挟み込むようにしてパッキン１２が固定されるものとしている。これにより、パッキン１２の脱落を防止できるものとなる。
【００１９】
図６に示すように、開口部１０の左右縁部には溝部１５を形成して、この溝部１５にパッキン１２を嵌め込むものとした。これにより、溝部１５を排水経路として利用することができ、またパッキン１２を厚く形成することが可能となるため、パッキン１２自体の強度を高めることができる。
【００２０】
また、パッキン１２のハンドル５に面する側には、垂直断面略凹状となる凹部１６を形成するものとした。これにより、パッキン１２はハンドル５の裏面と２点で当接するため、二重で防水することができるものとなり、かつ２点のうち内側に位置する箇所は外部に露出しない構造となり、劣化を防止してパッキン１２の寿命を長くすることができるものとなる。
【００２１】
なお、本体４を扉２に取付ける際の防水機能を高めるために、本体４と扉２との間には図５に示すパッキン１７を設けるものとしている。
【００２２】
また図４のように、ハンドル５の頭部に対する反対側の端部には、キープレート１８を備えたシリンダ錠１９を設け、ハンドル５を閉状態でロックできるものとしている。そして図５のように、本体４には、前記したシリンダ錠１９が収納されるシリンダ収納部２０を形成するものとした。
【００２３】
リンク機構部６の詳細構造について、以下に説明する。
図７及び図８のように、ハンドル５は、第２軸２２により第１リンク３１と枢着されており、またこの第１リンク３１は、第３軸２３により下クランプ部８と枢着されている。さらに、この下クランプ部８は第５軸２５により本体４に軸支されている。まとめると、第１軸２１、第５軸２５が本体４に対する固定点であり、ハンドル５を閉じることにより、第２軸２２、第３軸２３が、図８の状態から図９、図１０のような軌跡で円弧運動をすることで、第１リンク３１及び下クランプ部８を回動させ、図１１の状態となる。このように、第１軸２１、第２軸２２、第３軸２３、第５軸２５の４点によるリンク機構により、下クランプ部８を回動させるように動作させるものとしている。なお、このリンク機構は、第１軸２１と第３軸２３とを結ぶ直線が中立線となり、第２軸２２が中立線を越えて閉方向に移動すると、戻す力が加わってもハンドル５を動かすことができないトグル機構を構成している。
【００２４】
次に上クランプ部７について説明する。上クランプ部７は第７軸２７に軸支されており、さらに第６軸２６によって第２リンク３２の先端（上端）と枢着されている。また、第２リンク３２の基端には、第４軸２４により第１リンク３１と第２リンク３２と幅方向に重複するように配置された第３リンク３３が枢着されている。この第３リンク３３は、第３軸２３と下クランプ部８を軸支する第５軸２５とによって枢着されており、下クランプ部８に連動するように設けられ、そして第３軸２３により第１リンク３１に枢着されることで、第１リンク３１と連動して動作するものである。なお、第７軸２７には第４リンク３４が枢着されている。
【００２５】
まとめると、第１リンク３１が駆動することにより、第４軸２４及び第６軸２６が図８の状態から図９、図１０のような軌跡で円弧運動をすることで、第３リンク３３、第２リンク３２、及び上クランプ部７を回動させ、図１１の状態となる。このようなリンク機構により、下クランプ部８の回動力を、第３リンク３３を介して第２リンク３２に伝えることで、上クランプ部７を連動して回動させるものとしている。なお図８のように、第２リンク３２には長孔２８を形成して第２軸２２の動きを逃がすものとしている。
【符号の説明】
【００２６】
１  電気機器収納用箱
１ａ  金具
２  扉
３  クランプ式鎖錠装置
４  本体
５  ハンドル
６  リンク機構部
７  上クランプ部
８  下クランプ部
９  ロッド棒
１０  開口部
１１  筒部
１２  パッキン
１３  Ｏリング
１４  挟止片
１５  溝部
１６  凹部
１７  パッキン
１８  キープレート
１９  シリンダ錠
２０  シリンダ収納部
２１  第１軸
２２  第２軸
２３  第３軸
２４  第４軸
２５  第５軸
２６  第６軸
２７  第７軸
２８  長孔
３１  第１リンク
３２  第２リンク
３３  第３リンク
３４  第４リンク  
【図１】
0006516633.tif 000002
【図２】
0006516633.tif 000003
【図３】
0006516633.tif 000004
【図４】
0006516633.tif 000005
【図５】
0006516633.tif 000006
【図６】
0006516633.tif 000007
【図７】
0006516633.tif 000008
【図８】
0006516633.tif 000009
【図９】
0006516633.tif 000010
【図１０】
0006516633.tif 000011
【図１１】
0006516633.tif 000012
【図１２】
0006516633.tif 000013